(57)【要約】【課題】  身分確認の対象人物が視覚障害者であっても、ＩＣカードの読み取り位置が容易に認識できる非接触ＩＣカードリーダを提供する。【解決手段】  この非接触ＩＣカードリーダライタには、ＩＣカードと通信する通信部と、通信部に対して連続するように通信部の側方に配置されて、通信部に入力されたＩＣカードのデータを処理するデータ処理部とが備えられている。そして、通信部とデータ処理部との表面形状が異なっている。【選択図】図２
2006065567.tif 000002
【特許請求の範囲】
【請求項１】
ＩＣカードと通信する通信部と、
前記通信部に対して連続するように前記通信部の側方に配置されて、前記通信部に入力された前記ＩＣカードのデータを処理するデータ処理部とを備え、
前記通信部と前記データ処理部との表面形状が異なっていることを特徴とする非接触ＩＣカードリーダライタ。
【請求項２】
請求項１記載の非接触ＩＣカードリーダライタにおいて、
前記通信部と前記データ処理部との間には、境目となる凹部若しくは凸部が形成されていることを特徴とする非接触ＩＣカードリーダライタ。
【請求項３】
請求項１又は２記載の非接触ＩＣカードリーダライタにおいて、
前記通信部の内部には、前記ＩＣカードと通信を行うためのアンテナが搭載されていて、
前記通信部の表面部分のうち、少なくとも前記アンテナを覆う部分の表面形状が外方に向けて凸となるように形成されていることを特徴とする非接触ＩＣカードリーダライタ。
【請求項４】
請求項１〜３のいずれか一項に記載の非接触ＩＣカードリーダライタにおいて、
前記通信部の表面には、前記ＩＣカードの読み取り位置であることを示す点字が刻まれていることを特徴とする非接触ＩＣカードリーダライタ。
【請求項５】
請求項１〜４のいずれか一項に記載の非接触ＩＣカードリーダライタにおいて、
前記通信部と前記データ処理部との表面形状が、鋭角がないように形成されていることを特徴とする非接触ＩＣカードリーダライタ。
【請求項６】
請求項１〜５のいずれか一項に記載の非接触ＩＣカードリーダライタにおいて、
前記データ処理部は、前記ＩＣカードのデータ処理結果を聴覚的に区別して報知する報知部を備えることを特徴とする非接触ＩＣカードリーダライタ。
【発明の詳細な説明】
【技術分野】
【０００１】
本発明は、非接触ＩＣカードリーダライタに係り、特に身分確認時などに用いられる非接触ＩＣカードリーダライタに関する。
【背景技術】
【０００２】
従来身分確認時に用いられるカードとして、磁気ストライプカードに代表されるような接触式カードが一般的に知られていたが、近年においては磁気ストライプカードよりも安全性、利便性、防水性能等に優れた点の多い非接触式のＩＣカードが用いられるようになっている。
このようなＩＣカードのデータを非接触で読み書きするために、ＩＣカードと通信してデータを送受する非接触ＩＣカードリーダライタが開発されている（例えば特許文献１参照）。非接触ＩＣカードリーダライタには、ＩＣカードと通信する通信部と、通信部に入力されたＩＣカードのデータをホストコンピュータに送受したり、ホストコンピュータによって行われたＩＣカードのデータ及び個人データの照合結果を通知したりするデータ処理部とを備えている。
【０００３】
ここで、非接触ＩＣカードリーダライタは廊下の壁面に設置されることもあるが、非接触ＩＣカードリーダライタが厚いと、通行の邪魔になるおそれや、美観上好ましくないために薄型化が望まれている。つまり、通信部及びデータ処理部を積層するように配置させるよりも、通信部及びデータ処理部を同一平面状に並ぶように配置する方が薄型化を向上させるうえで好ましい。
【特許文献１】特開２００３−２４２４５１号公報
【発明の開示】
【発明が解決しようとする課題】
【０００４】
しかしながら、通信部及びデータ処理部を同一平面状に配置すると、非接触ＩＣカードリーダライタに対峙した対象人物から見て通信部及びデータ処理部の位置が異なることになる。通信部及びデータ処理部との位置の異なりは、健常者であればなんら問題はないが、視覚障害者であると、例えば廊下の壁面を触りながら移動することで非接触ＩＣカードリーダライタの位置は認識できるものの、非接触ＩＣカードリーダライタにおける通信部及びデータ処理部を個別に認識することは困難であるために、ＩＣカードの読み取り位置の認識がスムーズに行えないことが考えられる。
【０００５】
本発明の課題は、身分確認の対象人物が視覚障害者であっても、ＩＣカードの読み取り位置が容易に認識できる非接触ＩＣカードリーダを提供することである。
【課題を解決するための手段】
【０００６】
請求項１記載の発明における非接触ＩＣカードリーダライタは、
ＩＣカードと通信する通信部と、
前記通信部に対して連続するように前記通信部の側方に配置されて、前記通信部に入力された前記ＩＣカードのデータを処理するデータ処理部とを備え、
前記通信部と前記データ処理部との表面形状が異なっていることを特徴としている。
【０００７】
請求項１記載の発明によれば、通信部とデータ処理部との表面形状が異なっているので、手で触れるだけで通信部とデータ処理部とを区別することができる。したがって、視覚障害者であっても通信部とデータ処理部との表面をなぞれば、通信部とデータ処理部とを区別することができ、ＩＣカードの読み取り位置を容易に認識させることができる。
【０００８】
請求項２記載の発明は、請求項１記載の非接触ＩＣカードリーダライタにおいて、
前記通信部と前記データ処理部との間には、境目となる凹部若しくは凸部が形成されていることを特徴としている。
【０００９】
請求項２記載の発明によれば、通信部とデータ処理部との間に、境目となる凹部若しくは凸部が形成されているので、この凹部若しくは凸部を触れるだけで、通信部とデータ処理部との境目を認識でき、より確実に通信部とデータ処理部とを区別することができる。
【００１０】
請求項３記載の発明は、請求項１又は２記載の非接触ＩＣカードリーダライタにおいて、
前記通信部の内部には、前記ＩＣカードと通信を行うためのアンテナが搭載されていて、
前記通信部の表面部分のうち、少なくとも前記アンテナを覆う部分の表面形状が外方に向けて凸となるように形成されていることを特徴としている。
【００１１】
請求項３記載の発明によれば、アンテナを覆う部分の表面形状が外方に向けて凸となっているので、ＩＣカードをアンテナ間近に提示させることができ、データ送受の確実性を高めることができる。
【００１２】
請求項４記載の発明は、請求項１〜３のいずれか一項に記載の非接触ＩＣカードリーダライタにおいて、
前記通信部の表面には、前記ＩＣカードの読み取り位置であることを示す点字が刻まれていることを特徴としている。
【００１３】
請求項４記載の発明によれば、ＩＣカードの読み取り位置であることを示す点字が通信部の表面に刻まれているので、この点字により視覚障害者に通信部であることを確実に伝えることができる。
【００１４】
請求項５記載の発明は、請求項１〜４のいずれか一項に記載の非接触ＩＣカードリーダライタにおいて、
前記通信部と前記データ処理部との表面形状が、鋭角がないように形成されていることを特徴としている。
【００１５】
請求項５記載の発明によれば、通信部とデータ処理部との表面形状が、鋭角がないように形成されているので、手で触れたときの刺激が低減され、対象者を不快にすることを抑制できる。
【００１６】
請求項６記載の発明は、請求項１〜５のいずれか一項に記載の非接触ＩＣカードリーダライタにおいて、
前記データ処理部は、前記ＩＣカードのデータ処理結果を聴覚的に区別して報知する報知部を備えることを特徴としている。
【００１７】
請求項６記載の発明によれば、報知部がデータ処理部の処理結果を聴覚的に区別して報知するので、視覚障害者であっても処理結果を確実に認識することができる。
【発明の効果】
【００１８】
本発明によれば、手で触れるだけで通信部とデータ処理部とを区別することができる。したがって、視覚障害者であっても通信部とデータ処理部との表面をなぞれば、通信部とデータ処理部とを区別することができ、ＩＣカードの読み取り位置を容易に認識させることができる。
【発明を実施するための最良の形態】
【００１９】
以下、図を参照にして本発明の実施形態に係る非接触ＩＣカードリーダライタについて説明する。図１は、非接触ＩＣカードリーダライタが接続される機器構成を表すブロック図である。
図１に示すように、非接触ＩＣカードリーダライタ１には、非接触ＩＣカードリーダライタを制御するカードコントローラ２が接続されており、非接触ＩＣカードリーダライタ１はＩＣカード３と通信することで、カードコントローラ２の制御に基づいてＩＣカード３のデータを読み書きするようになっている。
【００２０】
以下、非接触ＩＣカードリーダライタ１について図２及び図３を参照にして説明する。図２は非接触ＩＣカードリーダライタの外観を示す正面図であり、図３は側面図である。図２及び図３に示すように、非接触ＩＣカードリーダライタ１には、ＩＣカード３と通信する通信部１０と、通信部１０に対して連続するように通信部１０の上方に配置されたデータ処理部２０とを備えている。
【００２１】
図３に示すように、通信部１０の内部にはＩＣカード３と通信を行うためのアンテナ１１が搭載されている。ここで、通信部１０の表面部分のうち、アンテナ１１を覆う部分をアンテナカバー部１２とすると、少なくともアンテナカバー部１２の表面形状は外方に向けて凸となるように球面状に形成されている。また、図２及び図３に示すようにアンテナカバー部１２の表面中央部には、点字が刻まれる点字部１２１が設けられている。この点字部１２１に刻まれる点字は、当該箇所がＩＣカード３の読み取り位置であることを示している。
さらに通信部１０の表面形状は、鋭角がないように形成されている。具体的に説明すると、アンテナカバー部１２は球面状に形成されているが、アンテナカバー部１２以外の表面部分は平らに形成されているために、この平らな部分とアンテナカバー部１２とに連続する第１角部１３は鈍角となっている。また、通信部１０の前面１４と側面１５とに連続する第２角部１６及び前面１４と下面１７とに連続する第３角部１８は、外方に向けて凸となるように円弧状に形成されている。
【００２２】
データ処理部２０の内部には、カードコントローラ２に対してＩＣカード３のデータの送受を行うＩ／Ｏ部２１及び使用者に報知する報知部２２（図４参照）が搭載されている。ここで、図２に示すように報知部２２には待機状態を示す待機用ＬＥＤ２２１と、身分確認が得られたことを示すＯＫ用ＬＥＤ２２２と、身分確認が得られなかったことを示すＮＧ用ＬＥＤ２２３とが設けられているために、データ処理部２０には、待機用ＬＥＤ２２１、ＯＫ用ＬＥＤ２２２及びＮＧ用ＬＥＤ２２３からの光を視認可能とする光透過部２０１，２０２，２０３が設けられている。そして、データ処理部２０の表面形状は通信部１０の表面形状と異なるように複数の凹部２３が形成されている。なお、このデータ処理部２０の表面形状においても通信部１０と同様に鋭角がないように形成されている。具体的に説明すると、各凹部２３には面取りが施されているが、凹部２３以外の表面部分は平らに形成されているために、この平らな部分と凹部２３とに連続する第４角部２４は鈍角となっている。また、データ処理部２０の前面２５と側面２６とに連続する第５角部２７及び前面２５と上面２８とに連続する第６角部２９は、外方に向けて凸となるように円弧状に形成されている。
【００２３】
そして、通信部１０とデータ処理部２０との間には、境目となる凹部３０が水平に沿うように形成されている。この凹部３０の表面形状も鋭角がないように形成されている。
【００２４】
図４は、非接触ＩＣカードリーダライタ１の制御構成を表すブロック図である。この図４に示すように、通信部１０内のアンテナ１１と、データ処理部２０のＩ／Ｏ部２１とは電気的に接続されている。また、Ｉ／Ｏ部２１には、カードコントローラ２と、報知部２２とが電気的に接続されている。報知部２２には、上記した待機用ＬＥＤ２２１、ＯＫ用ＬＥＤ２２２及びＮＧ用ＬＥＤ２２３などのＬＥＤ２２４と、聴覚的な報知を行うブザー２２５とが設けられている。ブザー２２５は、ＯＫ用ＬＥＤ２２２が点灯する場合と、ＮＧ用ＬＥＤ２２３が点灯する場合とでは異なる音色を出力するようになっている。
【００２５】
そして、図１に示すようにカードコントローラ２には、利用者の個人データが記憶されているホストコンピュータ４と、出入口の自動ドア５が接続されており、カードコントローラ２は、ＩＣカード３のデータとホストコンピュータ４の個人データとを照合して、当該照合結果を基に自動ドア５を開閉するようになっている。
【００２６】
以下、照合手順について説明する。
ホストコンピュータ４には、予め利用者の登録が行われており、登録された利用者毎に個人データが作成・記録されている。なお個人データの作成に伴って、各利用者のＩＣカード３にも個人データが記憶されることになる。
【００２７】
そして、ある利用者（対象者）が室内に入場しようとしたとき、対象者はＩＣカード３を非接触ＩＣカードリーダライタ１の通信部１０にかざす。この際、対象者が視覚障害者であると、非接触ＩＣカードリーダライタ１の表面を触ることで、その表面形状の差異で通信部１０とデータ処理部２０とを判別し、通信部１０の位置を認識する。
【００２８】
通信部１０にＩＣカード３がかざされると、アンテナ１１が通信してＩＣカード３のデータを読み取る。このデータはＩ／Ｏ部２１を介してカードコントローラ２に送信される。カードコントローラ２では、ホストコンピュータ４に記憶されている個人データと、ＩＣカード３のデータとを照合する。カードコントローラ２は、この照合により対象者の身分確認が得られると、ＯＫ用ＬＥＤ２２２の点灯を促す制御信号をＩ／Ｏ部２１に出力し、かつドアの開放を促す制御信号を自動ドア５に出力する。一方、対象者の身分確認が得られていないと、カードコントローラ２は、ＮＧ用ＬＥＤ２２３の点灯を促す制御信号をＩ／Ｏ部２１に出力するとともに、ドアの閉状態の維持を促す制御信号を自動ドア５に出力する。
【００２９】
Ｉ／Ｏ部２１は、カードコントローラ２からの制御信号を報知部２２に出力する。報知部２２に入力された制御信号がＯＫ用ＬＥＤ２２２の点灯を促す制御信号であると、報知部２２はＯＫ用ＬＥＤ２２２を点灯させるとともに、ＯＫ用ＬＥＤ２２２の点灯に基づく音色をブザー２２５から出力させる。これにより、対象者は身分確認が得られたことを認識し、開放された自動ドア５から室内に入場する。
一方、報知部２２に入力された制御信号がＮＧ用ＬＥＤ２２３の点灯を促す制御信号であると、報知部２２はＮＧ用ＬＥＤ２２３を点灯させるとともに、ＮＧ用ＬＥＤ２２３の点灯に基づく音色をブザー２２５から出力させる。これにより、対象者は身分確認が得られていないことを認識する。
【００３０】
ここで、上記の場合においては身分確認時における各部の動作を説明したが、例えば、ＩＣカード３のデータの上書きを促す制御信号がカードコントローラ２からＩ／Ｏ部２１に出力された場合には、アンテナ１１からその上書き内容を示す書き込み信号が発信されて、アンテナ１１の通信範囲内にあるＩＣカード３のデータは上書きされるようになっている。
【００３１】
以上のように、本実施形態の非接触ＩＣカードリーダライタ１によれば、通信部１０とデータ処理部２０との表面形状が異なっているので、手で触れるだけで通信部１０とデータ処理部２０とを区別することができる。したがって、視覚障害者であっても通信部１０とデータ処理部２０との表面をなぞれば、通信部１０とデータ処理部２０とを区別することができ、ＩＣカード３の読み取り位置を容易に認識させることができる。
また、通信部１０とデータ処理部２０との間に、境目となる凹部３０が形成されているので、この凹部３０を触れるだけで、通信部１０とデータ処理部２０との境目を認識でき、より確実に通信部１０とデータ処理部２０とを区別することができる。
そして、アンテナカバー部１２の表面形状が外方に向けて凸となっているので、ＩＣカード３をアンテナ１１間近に提示させることができ、データ送受の確実性を高めることができる。
そして、通信部１０の点字部１２１に、ＩＣカード３の読み取り位置を示す点字が刻まれているので、この点字により視覚障害者に通信部１０であることを確実に伝えることができる。
【００３２】
さらに、通信部１０とデータ処理部２０との表面形状が、鋭角がないように形成されているので、手で触れたときの刺激が低減され、対象者を不快にすることを抑制できる。
また、ＩＣカード３のデータを基にしたデータ処理部２０のデータ処理結果を報知部２２が聴覚的に区別して報知するので、視覚障害者であっても処理結果を確実に認識することができる。
【００３３】
なお、本発明は上記実施の形態に限らず適宜変更可能であるのは勿論である。
例えば、本実施形態では、データ処理部２０が通信部１０の下方に位置する場合を例示して説明したが、データ処理部２０は通信部１０に対して連続していれば、上下左右斜めいずれの側方に配置されていてもよい。
また、本実施形態では、通信部１０とデータ処理部２０との境目が凹部３０である場合を例示して説明したが、この境目は凸部であっても、凸部と凹部とが混在したものであっても構わない。なお、凸部のみでなる境目、凸部と凹部とが混在した境目のいずれにおいてもその表面形状は鋭角がないように形成されていることが好ましい。
また、本実施形態では、アンテナカバー部１２の表面形状が球面状に形成された場合を例示して説明したが、アンテナカバー部１２の形状はこれに限られるものではなく、例えば多角形状、楕円形状などが挙げられる。
【００３４】
また、本実施形態では、データ処理部２０のデータ処理結果に基づいて報知部２２が音色の異なる報知を行っている場合を例示して説明したが、音色でなくとも音声で報知を行ってもよい。こうした場合、図５に示すように、非接触ＩＣカードリーダライタ１Ａの報知部２２にはブザー２２５の変わりにスピーカ２２６が搭載されていて、Ｉ／Ｏ部２１Ａには音声出力部３１が設けられている。この音声出力部３１は、Ｉ／Ｏ部２１に入力された制御信号がＯＫ用ＬＥＤ２２２の点灯を促す制御信号である場合には、身分確認が得られたことを知らせる音声（例えば入室許可が確認されました。どうぞお入り下さい。」等）をスピーカ２２６から出力させ、Ｉ／Ｏ部２１に入力された制御信号がＮＧ用ＬＥＤ２２２の点灯を促す制御信号である場合には、身分確認が得られていないことを知らせる音声（例えば「入室が許可されませんでした。」等）をスピーカ２２６から出力させるようになっている。なお、音声データは、音声出力部３１のＲＯＭに記憶されている。
【図面の簡単な説明】
【００３５】
【図１】本実施形態に係る非接触ＩＣカードリーダライタが接続される機器構成を表すブロック図である。
【図２】本実施形態に係る非接触ＩＣカードリーダライタの外観を示す正面図である。
【図３】図２の非接触ＩＣカードリーダライタを表す側面図である。
【図４】図２の非接触ＩＣカードリーダライタの制御構成を表すブロック図である。
【図５】図４の非接触ＩＣカードリーダライタの変形例を表すブロック図である。
【符号の説明】
【００３６】
１      非接触ＩＣカードリーダライタ
３      ＩＣカード
１０      通信部
１１      アンテナ
１２      アンテナカバー部（アンテナを覆う部分）
２０      データ処理部
２２      報知部
３０      凹部
１２１      点字部
【図１】
2006065567.tif 000003
【図２】
2006065567.tif 000004
【図３】
2006065567.tif 000005
【図４】
2006065567.tif 000006
【図５】
2006065567.tif 000007